(57)【要約】【課題】検査対象物について検査装置を用いて得た検査計量値を基に検査対象物の良否を判定する検査装置において、検査を行っている過程で初期に設定された判定制度が維持されているかどうかを判定する判定処理の精度判定方法及び判定処理精度判定装置を提案する。【解決手段】検査対象物について検査装置を用いて得た検査計量値を基に検査対象物の良否を判定する検査装置において、前記判定処理の精度を判定する方法であって、複数の良品について、当該検査装置を用いて得た複数の良品計量値が正規分布で表されると仮定して、良品平均値ＭＧと、良品標準偏差σＧとを求め、複数の検査対象物について、当該検査装置を用いて得た複数の検査計量値が正規分布で表されると仮定して、検査平均値ＭＳと、検査標準偏差σＳとを求め、前記良品平均値ＭＧを中心として予め定められている範囲に設定されている良品平均範囲と、前記検査平均値ＭＳとを比較する。【選択図】図１
2010210635.tif 000002
【特許請求の範囲】
【請求項１】
検査対象物について検査装置を用いて得た検査計量値を基に検査対象物の良否を判定する検査装置において前記判定処理の精度を判定する方法であって、
複数の良品について、当該検査装置を用いて得た複数の良品計量値が正規分布で表されると仮定して、良品平均値ＭＧと、良品標準偏差σＧとを求め、
複数の検査対象物について、当該検査装置を用いて得た複数の検査計量値が正規分布で表されると仮定して、検査平均値ＭＳと、検査標準偏差σＳとを求め、
前記良品平均値ＭＧを中心として予め定められている範囲に設定されている良品平均範囲と、前記検査平均値ＭＳとを比較する、または、
前記良品標準偏差σＧを中心として予め定められている範囲に設定されている良品標準偏差範囲と、前記検査標準偏差σＳとを比較する、若しくは、
前記良品平均値ＭＧを中心として予め定められている範囲に設定されている良品平均範囲と、前記検査平均値ＭＳとを比較すると共に前記良品標準偏差σＧを中心として予め定められている範囲に設定されている良品標準偏差範囲と、前記検査標準偏差σＳとを比較する、
ことを特徴とする検査装置の判定処理精度判定方法。
【請求項２】
検査対象物の画像を取り込む撮像手段によって取り込んだ画像信号から得た検査計量値を基に検査対象物の良否を判定する画像検査装置において、前記判定処理の精度を判定する方法であって、
複数の良品について、当該画像検査装置を用い、前記撮像手段によって取り込んだ画像信号から得た複数の良品計量値が正規分布で表されると仮定して、良品平均値ＭＧと、良品標準偏差σＧとを求め、
複数の検査対象物について、当該画像検査装置を用い、前記撮像手段によって取り込んだ画像信号から得た複数の検査計量値が正規分布で表されると仮定して、検査平均値ＭＳと、検査標準偏差σＳとを求め、
前記良品平均値ＭＧを中心として予め定められている範囲に設定されている良品平均範囲と、前記検査平均値ＭＳとを比較する、または、
前記良品標準偏差σＧを中心として予め定められている範囲に設定されている良品標準偏差範囲と、前記検査標準偏差σＳとを比較する、若しくは、
前記良品平均値ＭＧを中心として予め定められている範囲に設定されている良品平均範囲と、前記検査平均値ＭＳとを比較すると共に前記良品標準偏差σＧを中心として予め定められている範囲に設定されている良品標準偏差範囲と、前記検査標準偏差σＳとを比較する、
ことを特徴とする画像検査装置の判定処理精度判定方法。
【請求項３】
検査対象物について検査装置を用いて得た検査計量値を基に検査対象物の良否を判定する検査装置における前記判定処理の精度を判定する判定処理精度判定装置であって、
複数の良品について、当該検査装置を用いて得た複数の良品計量値が正規分布で表されると仮定して、良品平均値ＭＧと、良品標準偏差σＧとを演算する第一の良品平均値・標準偏差演算手段と、
複数の検査対象物について、当該検査装置を用いて得た複数の検査計量値が正規分布で表されると仮定して、検査平均値ＭＳと、検査標準偏差σＳとを演算する第一の検査平均値・標準偏差演算手段と、
前記良品平均値ＭＧを中心として予め定められている範囲に設定されている良品平均範囲と、前記検査平均値ＭＳとを比較する第一の良品平均値・検査平均値比較処理手段、または、
前記良品標準偏差σＧを中心として予め定められている範囲に設定されている良品標準偏差範囲と、前記検査標準偏差σＳとを比較する第一の良品標準偏差・検査標準偏差比較処理手段、若しくは、
前記良品平均値ＭＧを中心として予め定められている範囲に設定されている良品平均範囲と、前記検査平均値ＭＳとを比較する第一の良品平均値・検査平均値比較処理手段と、良品標準偏差σＧを中心として予め定められている範囲に設定されている良品標準偏差範囲と、前記検査標準偏差σＳとを比較する第一の良品標準偏差・検査標準偏差比較処理手段との双方、
を備えていることを特徴とする検査装置における判定処理の精度を判定する判定処理精度判定装置。
【請求項４】
検査対象物の画像を取り込む撮像手段によって取り込んだ画像信号から得た検査計量値を基に検査対象物の良否を判定する画像検査装置における前記判定処理の精度を判定する判定処理精度判定装置であって、
複数の良品について、当該画像検査装置を用い、前記撮像手段によって取り込んだ画像信号から得た複数の良品計量値が正規分布で表されると仮定して、良品平均値ＭＧと、良品標準偏差σＧとを演算する第二の良品平均値・標準偏差演算手段と、
複数の検査対象物について、当該画像検査装置を用い、前記撮像手段によって取り込んだ画像信号から得た複数の検査計量値が正規分布で表されると仮定して、検査平均値ＭＳと、検査標準偏差σＳとを演算する第二の検査平均値・標準偏差演算手段と、
前記良品平均値ＭＧを中心として予め定められている範囲に設定されている良品平均範囲と、前記検査平均値ＭＳとを比較する第二の良品平均値・検査平均値比較処理手段、または、
前記良品標準偏差σＧを中心として予め定められている範囲に設定されている良品標準偏差範囲と、前記検査標準偏差σＳとを比較する第二の良品標準偏差・検査標準偏差比較処理手段、若しくは、
前記良品平均値ＭＧを中心として予め定められている範囲に設定されている良品平均範囲と、前記検査平均値ＭＳとを比較する第二の良品平均値・検査平均値比較処理手段と、良品標準偏差σＧを中心として予め定められている範囲に設定されている良品標準偏差範囲と、前記検査標準偏差σＳとを比較する第二の良品標準偏差・検査標準偏差比較処理手段との双方、
を備えていることを特徴とする画像検査装置における判定処理の精度を判定する判定処理精度判定装置。
【発明の詳細な説明】
【技術分野】
【０００１】
この発明は、検査対象物から得た検査計量値を基に検査対象物の良否を判定する検査装置に関し、当該検査装置において、検査対象物が良品であるか不良品であるかを判定する判定処理の精度を判定する方法及び、この方法を実行する良品判定処理精度判定装置に関する。特に、この発明は、検査対象物の画像を取り込む撮像手段によって取り込んだ画像信号から得た検査計量値を基に検査対象物の良否を判定する画像検査装置に関し、当該画像検査装置において、検査対象物が良品であるか不良品であるかを判定する判定処理の精度を判定する方法及び、この方法を実行する良品判定処理精度判定装置に関する。
【背景技術】
【０００２】
検査対象物から得た検査計量値を基に検査対象物の良否を判定する検査装置は従来から広く用いられている。例えば、検査対象物の画像を取り込む撮像手段によって取り込んだ画像信号から得た検査計量値を基に検査対象物の良否を判定する画像検査装置が従来から飲食物容器等の品質検査などに広く使用されている。
【０００３】
これは、一般的に、ＣＣＤカメラなどの撮像手段によって検査対象物を撮像し、この画像信号をデジタル化し、適当な閾値でこの画像を二値化し、例えば、画素数などから良品と不良品との判定を行うものである。
【先行技術文献】
【特許文献】
【０００４】
【特許文献１】特開平１０−１４８５１５号公報
【発明の開示】
【発明が解決しようとする課題】
【０００５】
前述した画像検査装置のような検査装置において良品と不良品との判定を行う場合、例えば、画像検査装置で画素数から良品と不良品との判定を行う場合には、予め良品判定基準を設定しておき、その良品判定基準を満たさない検査対象物が不良品とされるのが一般的である。
【０００６】
これを発展させて、良品判定基準を設定する手法として、事前に、複数の良品について、当該検査装置を用いて得た複数の良品計量値が正規分布で表されると仮定し、良品平均値ＭＧと、良品標準偏差σＧとを求めて良品計量値分布を得て、良品平均値ＭＧ±ｋ×良品標準偏差σＧ（ｋは正数）を良品判定基準とし、この良品判定基準を満たさないものを不良品と認定する方法が考えられる。
【０００７】
例えば、検査装置が画像検査装置である場合、前記撮像手段によって取り込んだ画像信号から得た複数の良品計量値が正規分布で表されると仮定して、良品平均値ＭＧと、良品標準偏差σＧとを求め、図６図示のような良品計量値分布を得て、良品平均値ＭＧ±ｋ×良品標準偏差σＧ（ｋは正数）を良品判定基準とし、この良品判定基準を満たさないものを不良品と認定する手法である。
【０００８】
前記のようにして良品判定基準を設定する場合、複数の不良品について、検査装置、例えば、画像検査装置を用い、前記撮像手段によって取り込んだ画像信号から得た複数の不良品計量値が正規分布で表されると仮定して、不良品平均値ＭＮＧと、不良品標準偏差σＮＧとを求めて得た不良品計量値分布が図７のように、図６図示の良品計量値分布を挟んで表されるとすると、図７において符号１０３、１０４で表されている部分は、良品判定基準を満たしているにもかかわらず、不良品が発生する可能性が存在する範囲になる。
【０００９】
この場合、前記のようにして、良品であるにもかかわらず「不良品である」と認定されて排除されてしまう良品が存在し得ることを受け入れた上で、良品判定基準を満たさないものを一律に「不良品である」と認定して排除しているにもかかわらず、良品と認定されたものの中に不良品が混入してしまう、すなわち「不良品を良品であると判定してしまう（＝不良品の良品判定）」ことになる。
【００１０】
このような「不良品の良品判定」は、検査ミスとして取り扱わる。検査ミスは、数万回に１回程度の可能性でしか生じないものであるが、例えば、検査対象物が人間に飲食される食品などである場合には、数万個に１個の割合ででも検査ミスが発生すれば、重大な問題になる。
【００１１】
そこで、検査精度の向上を図る努力が日々なされているが、前述したように、事前に検査装置を用いて得た複数の良品計量値が正規分布で表されると仮定して、良品平均値ＭＧと、良品標準偏差σＧとを求め、良品計量値分布を得て、良品平均値ＭＧ±ｋ×良品標準偏差σＧ（ｋは正数）を良品判定基準としても、複数の良品のみを対象とするのみでは、図７を用いて説明した符号１０３、１０４で示す領域のような不良品発生を避けることはできない。
【００１２】
また、従来の検査装置には、その検査装置（例えば、画像検査装置）がいったん設定された良品判定基準の精度を維持し続けているかどうか、検査を行っている過程で自己診断できる機能は備えられていなかった。
【００１３】
例えば、画像検査装置においては、画像取り込み用のＣＣＤカメラの光源が経時劣化したことなどに起因する光量低下、レンズの汚れ、ＣＣＤカメラの取り付けのがた、検査対象物を搬送しているコンベアのノッキングやガイドのズレ、各種装置を接続する通信ケーブルのノイズ、などによって判定精度に変動が生じることがあるが、従来の画像検査装置には、検査を継続している過程で、これらの外乱に起因して判定精度に変動が生じているかどうか、すなわち、判定精度が維持されているか否かを判定できる機能が備えられていなかった。
【００１４】
本発明は、検査対象物について検査装置を用いて得た検査計量値を基に検査対象物の良否を判定する検査装置において、検査を行っている過程で外乱によって生じた判定精度の変動を把握し、初期に設定された判定制度が維持されているかどうかを判定する、前記の良否判定処理の精度を判定する方法及び検査装置における判定処理精度判定装置を提案することを目的にしている。特に、検査装置が検査対象物の画像を取り込む撮像手段によって取り込んだ画像信号から得た検査計量値を基に検査対象物の良否を判定する画像検査装置であるときに、検査を行っている過程でＣＣＤカメラのレンズの汚れなどの外乱によって生じた判定精度の変動を把握し、初期に設定された判定制度が維持されているかどうかを判定する、前記の良否判定処理の精度を判定する方法及び画像検査装置における判定処理精度判定装置を提案することを目的にしている。
【課題を解決するための手段】
【００１５】
前記目的の達成を目指す本願には、まず、検査装置の良品判定基準設定方法が記載されている。これは、検査対象物の良否を判定する検査装置において、検査対象物が良品であるか不良品であるかを判定する良品判定基準を設定する良品判定基準設定方法であって、複数の良品について当該検査装置を用いて得た良品計量値の分布と、複数の不良品について当該検査装置を用いて得た不良品計量値の分布とを求め、両者を比較して良品判定基準を設定するものである。
【００１６】
例えば、図１図示のように、良品計量値の分布（正規分布曲線４０）において、上限の良品判定基準は、上限側における不良品計量値の分布（正規分布曲線４２）の下限より小さなものとし、一方、下限の良品判定基準は、下限側における不良品計量値の分布（正規分布曲線４１）の上限より大きなものとして良品判定基準を設定することとするものである。
【００１７】
このようにすれば、図６、図７を用いて説明したような、良品計量値の分布のみに基づいて良品判定基準を設定していた場合に比較して、良品であるにもかかわらず不良品であると判定されるものの数が増える可能性があるが、「不良品を良品であると判定してしまう」こと、すなわち、「不良品の良品判定」を統計的にゼロにすることが可能になる。
【００１８】
このような検査装置における良品判定基準設定方法が実行される検査装置における良品判定基準設定装置は、検査対象物の良否を判定する検査装置における検査対象物が良品であるか不良品であるかを判定する良品判定基準を設定する良品判定基準設定装置であって、複数の良品について当該検査装置を用いて得た複数の良品計量値の分布を求める良品計量値分布生成手段と、複数の不良品について当該検査装置を用いて得た複数の不良品計量値の分布を求める不良品計量値分布生成手段と、前記良品計量値分布生成手段によって求められた良品計量値の分布と、不良品計量値分布生成手段によって求められた不良品計量値の分布とを同一の画面上に比較して表示する第一の分布状態画像表示手段とを備えていることを特徴とするものである。
【００１９】
この検査装置の良品判定基準設定装置における第一の分布状態画像表示手段によって、同一の画面上に良品計量値の分布と不良品計量値の分布とが、例えば、図１や図３のように、表示されるので、両者を比較して、例えば、良品計量値の分布（正規分布曲線４０）において、上限の良品判定基準を、上限側における不良品計量値の分布（正規分布曲線４２）の下限より小さく、一方、下限の良品判定基準を、下限側における不良品計量値の分布（正規分布曲線４１）の上限より大きくして良品判定基準を設定することとができる。
【００２０】
こうして、図６、図７を用いて説明したような、良品計量値の分布のみに基づいて良品判定基準を設定していた場合に比較して、良品であるにもかかわらず不良品であると判定されるものの数が増える可能性があっても、「不良品を良品であると判定してしまう」こと、すなわち、「不良品の良品判定」を統計的にゼロにすることが可能になる。
【００２１】
前述した検査装置の良品判定基準設定方法及び、検査装置における良品判定基準設定装置は、検査装置が検査対象物の画像を取り込む撮像手段によって取り込んだ画像信号から得た検査計量値を基に検査対象物の良否を判定する画像検査装置である場合に採用することができる。
【００２２】
また、本願には、検査装置の他の良品判定基準設定方法が記載されている。これは、検査対象物の良否を判定する検査装置において、検査対象物が良品であるか不良品であるかを判定する良品判定基準を設定する良品判定基準設定方法であって、複数の良品について、当該検査装置を用いて得た複数の良品計量値が正規分布で表されると仮定して、良品平均値ＭＧと、良品標準偏差σＧとを求め、複数の不良品について、当該検査装置を用いて得た複数の不良品計量値が正規分布で表されると仮定して、不良品平均値ＭＮＧと、不良品標準偏差σＮＧとを求め、良品計量値の分布と、不良品計量値の分布とを比較して良品判定基準を設定するものである。
【００２３】
ここで、良品計量値の分布と、不良品計量値の分布とを比較して良品判定基準を設定する工程は、例えば、良品計量値の分布において、ＭＮＧ±ｋσＮＧ（ｋは正数であって、好ましくは、ｋ＝３、４、５または６、より好ましくは、ｋ＝６）に相当する検査計量値を良品判定基準に設定することができる。
【００２４】
また、良品計量値の分布と、不良品計量値の分布とを比較して良品判定基準を設定する工程は、良品計量値の分布と、不良品計量値の分布とを、それぞれ、同一の画面上に図１や図３図示のように表示して行うことができ、より好ましくは、同一の画面上に、ＭＧ±ｋσＧ（ｋ＝１、２、３、４、５または６）の範囲と、ＭＮＧ±ｋσＮＧ（ｋ＝１、２、３、４、５または６）の範囲とを表示し、またｋに応じて範囲を色分け表示する等して、両者を比較して行うことができる。
【００２５】
そして、前述した良品判定基準設定方法が実施される良品判定基準設定装置は、検査対象物の良否を判定する検査装置における検査対象物が良品であるか不良品であるかを判定する良品判定基準を設定する良品判定基準設定装置であって、複数の良品について、当該検査装置を用いて得た複数の良品計量値が正規分布で表されると仮定して、良品平均値ＭＧと、良品標準偏差σＧとを演算する第一の良品平均値・標準偏差演算手段と、複数の不良品について、当該検査装置を用いて得た複数の不良品計量値が正規分布で表されると仮定して、不良品平均値ＭＮＧと、不良品標準偏差σＮＧとを演算する第一の不良品平均値・標準偏差演算手段と、良品計量値の分布と、不良品計量値の分布とを同一の画面上に比較して表示する第一の分布状態画像表示手段とを備えていることを特徴とする検査装置における良品判定基準設定装置である。
【００２６】
この検査装置の良品判定基準設定装置における第一の分布状態画像表示手段によって、図１や図３のように、同一の画面上に表示された、良品計量値の分布と、不良品計量値の分布とを比較して、例えば、良品計量値の分布において、ＭＮＧ±ｋσＮＧ（ｋは正数であって、好ましくは、ｋ＝３、４、５または６、より好ましくは、ｋ＝６）に相当する検査計量値を良品判定基準に設定することができる。
【００２７】
また、このように、同一の画面上に表示された良品計量値の分布と、不良品計量値の分布とは、それぞれ、ＭＧ±ｋσＧ（ｋ＝１、２、３、４、５または６）の範囲と、ＭＮＧ±ｋσＮＧ（ｋ＝１、２、３、４、５または６）の範囲とを表示し、またｋに応じて範囲を色分け表示する等して、両者を比較して行えるようにすることができる。
【００２８】
発明者等の実験によれば、良品計量値の分布において、ＭＮＧ±ｋσＮＧ（ｋ＝６）に相当する検査計量値を良品判定基準に設定すれば、「不良品を良品であると判定してしまう」ことを撲滅すること、すなわち、「不良品の良品判定」を撲滅する（＝統計的にゼロにする）ことが可能であった。
【００２９】
前述した良品判定基準設定方法は、検査装置を前述した画像検査として行うことができる。すなわち、本願に記載されている画像検査装置の良品判定基準設定方法は、検査対象物の画像を取り込む撮像手段によって取り込んだ画像信号から得た検査計量値を基に検査対象物の良否を判定する画像検査装置において、検査対象物が良品であるか不良品であるかを判定する良品判定基準を設定する良品判定基準設定方法であって、複数の良品について、当該画像検査装置を用い、前記撮像手段によって取り込んだ画像信号から得た複数の良品計量値が正規分布で表されると仮定して、良品平均値ＭＧと、良品標準偏差σＧとを求め、複数の不良品について、当該画像検査装置を用い、前記撮像手段によって取り込んだ画像信号から得た複数の不良品計量値が正規分布で表されると仮定して、不良品平均値ＭＮＧと、不良品標準偏差σＮＧとを求め、良品計量値の分布と、不良品計量値の分布とを比較して良品判定基準を設定することを特徴とするものである。
【００３０】
ここで、前述したように、良品計量値の分布と、不良品計量値の分布とを比較して良品判定基準を設定する工程は、例えば、良品計量値の分布において、ＭＮＧ±ｋσＮＧ（ｋは正数であって、好ましくは、ｋ＝３、４、５または６、より好ましくは、ｋ＝６）に相当する検査計量値を良品判定基準に設定することができる。
【００３１】
また、良品計量値の分布と、不良品計量値の分布とを比較して良品判定基準を設定する工程は、図１や図３図示のように、良品計量値の分布と、不良品計量値の分布とを、それぞれ、同一の画面上に表示して行うことができ、より好ましくは、同一の画面上に、ＭＧ±ｋσＧ（ｋ＝１、２、３、４、５または６）の範囲と、ＭＮＧ±ｋσＮＧ（ｋ＝１、２、３、４、５または６）の範囲とを表示し、またｋに応じて範囲を色分け表示する等して、両者を比較するようにできる。
【００３２】
このような良品判定基準設定方法が実施される良品判定基準設定装置は、検査対象物の画像を取り込む撮像手段によって取り込んだ画像信号から得た検査計量値を基に検査対象物の良否を判定する画像検査装置における検査対象物が良品であるか不良品であるかを判定する良品判定基準を設定するものであって、複数の良品について、当該画像検査装置を用い、前記撮像手段によって取り込んだ画像信号から得た複数の良品計量値が正規分布で表されると仮定して、良品平均値ＭＧと、良品標準偏差σＧとを演算する第二の良品平均値・標準偏差演算手段と、複数の不良品について、当該画像検査装置を用い、前記撮像手段によって取り込んだ画像信号から得た複数の不良品計量値が正規分布で表されると仮定して、不良品平均値ＭＮＧと、不良品標準偏差σＮＧとを演算する第二の不良品平均値・標準偏差演算手段と、良品計量値の分布と、不良品計量値の分布とを同一の画面上に比較して表示する第二の分布状態画像表示手段とを備えていることを特徴とするものである。
【００３３】
この画像検査装置の良品判定基準設定装置における第二の分布状態画像表示手段によって、同一の画面上に表示された、良品計量値の分布と、不良品計量値の分布とを比較して、前記と同様に、例えば、良品計量値の分布において、ＭＮＧ±ｋσＮＧ（ｋは正数であって、好ましくは、ｋ＝３、４、５または６、より好ましくは、ｋ＝６）に相当する検査計量値を良品判定基準に設定することができる。
【００３４】
また、このように、同一の画面上に表示された良品計量値の分布と、不良品計量値の分布（例えば、図１や図３に図示）とは、それぞれ、ＭＧ±ｋσＧ（ｋ＝１、２、３、４、５または６）の範囲と、ＭＮＧ±ｋσＮＧ（ｋ＝１、２、３、４、５または６）の範囲とを表示し、またｋに応じて範囲を色分け表示する等して、両者を比較するようにできる。
【００３５】
前述したように、発明者等の実験によれば、良品計量値の分布において、ＭＮＧ±ｋσＮＧ（ｋ＝６）に相当する検査計量値を良品判定基準に設定すれば、「不良品を良品であると判定してしまう」ことを撲滅すること、すなわち、「不良品の良品判定」を撲滅する（＝統計的にゼロにする）ことが可能であった。
【００３６】
以上説明した本願に記載されている検査装置（例えば、画像検査装置）の良品判定基準設定方法と、検査装置（例えば、画像検査装置）の良品判定基準設定装置によれば、例えば、新しい検査装置を用いて実際に検査対象物の検査を開始する前に、本願に記載されている検査装置の良品判定基準設定装置を用いて、本願に記載されている検査装置の良品判定基準設定方法を実施することにより、当該新しい検査装置に最初から設定されている良品判定基準がどの程度のものであるか、すなわち、当該新しい検査装置による良品判定の精度を確認することができる。
【００３７】
本願に記載されている装置及び方法によって設定された良品判定基準（例えば、良品計量値の分布において、ＭＮＧ±ｋσＮＧ（ｋは正数であって、好ましくは、ｋ＝３、４、５または６、より好ましくは、ｋ＝６）に相当する検査計量値）と、当該新しい検査装置に最初から設定されている良品判定基準とを比較することにより、当該新しい検査装置による良品判定の精度を確認することが可能になる。
【００３８】
そこで、本願に記載されている前述した検査装置の良品判定基準設定装置には、更に、前述した本発明の方法によって設定した良品判定基準（例えば、良品計量値の分布において、ＭＮＧ±ｋσＮＧ（ｋは正数であって、好ましくは、ｋ＝３、４、５または６、より好ましくは、ｋ＝６）に相当する検査計量値）と、当該新しい検査装置に最初から設定されている良品判定基準とを比較する比較判定処理部を備えさせることができる。
【００３９】
これは、検査装置が前述した画像検査装置である場合にも採用することができる。
【００４０】
以上に説明した本願に記載されている検査装置（例えば、画像検査装置）の良品判定基準設定方法と、検査装置（例えば、画像検査装置）の良品判定基準設定装置によれば、検査対象物について検査装置を用いて得た検査計量値を基に検査対象物の良否を判定する検査装置、例えば、検査対象物の画像を取り込む撮像手段によって取り込んだ画像信号から得た検査計量値を基に検査対象物の良否を判定する画像検査装置において、検査対象物が良品であるか不良品であるかを判定する良品判定基準を設定する良品判定基準設定方法であって、「不良品を良品であると判定してしまう」こと、すなわち、「不良品の良品判定」を撲滅する（＝統計的にゼロにする）という品質管理上の目的を達成可能にする良品判定基準設定方法及び、検査装置における良否判定基準設定装置を提供することができる。
【００４１】
前記目的を達成するために本発明が提案する検査装置の判定処理精度判定方法は、検査対象物について検査装置を用いて得た検査計量値を基に検査対象物の良否を判定する検査装置において、前記判定処理の精度を判定する方法であって、複数の良品について、当該検査装置を用いて得た複数の良品計量値が正規分布で表されると仮定して、良品平均値ＭＧと、良品標準偏差σＧとを求め、複数の検査対象物について、当該検査装置を用いて得た複数の検査計量値が正規分布で表されると仮定して、検査平均値ＭＳと、検査標準偏差σＳとを求め、前記良品平均値ＭＧを中心として予め定められている範囲に設定されている良品平均範囲と、前記検査平均値ＭＳとを比較する、または、前記良品標準偏差σＧを中心として予め定められている範囲に設定されている良品標準偏差範囲と、前記検査標準偏差σＳとを比較する、若しくは、前記良品平均値ＭＧを中心として予め定められている範囲に設定されている良品平均範囲と、前記検査平均値ＭＳとを比較すると共に前記良品標準偏差σＧを中心として予め定められている範囲に設定されている良品標準偏差範囲と、前記検査標準偏差σＳとを比較することを特徴とするものである。
【００４２】
そして、かかる方法を実行する本発明の検査装置における判定処理の精度を判定する判定処理精度判定装置は、検査対象物について検査装置を用いて得た検査計量値を基に検査対象物の良否を判定する検査装置における前記判定処理の精度を判定する判定処理精度判定装置であって、複数の良品について、当該検査装置を用いて得た複数の良品計量値が正規分布で表されると仮定して、良品平均値ＭＧと、良品標準偏差σＧとを演算する第一の良品平均値・標準偏差演算手段と、複数の検査対象物について、当該検査装置を用いて得た複数の検査計量値が正規分布で表されると仮定して、検査平均値ＭＳと、検査標準偏差σＳとを演算する第一の検査平均値・標準偏差演算手段と、前記良品平均値ＭＧを中心として予め定められている範囲に設定されている良品平均範囲と、前記検査平均値ＭＳとを比較する第一の良品平均値・検査平均値比較処理手段、または、前記良品標準偏差σＧを中心として予め定められている範囲に設定されている良品標準偏差範囲と、前記検査標準偏差σＳとを比較する第一の良品標準偏差・検査標準偏差比較処理手段、若しくは、前記良品平均値ＭＧを中心として予め定められている範囲に設定されている良品平均範囲と、前記検査平均値ＭＳとを比較する第一の良品平均値・検査平均値比較処理手段と、良品標準偏差σＧを中心として予め定められている範囲に設定されている良品標準偏差範囲と、前記検査標準偏差σＳとを比較する第一の良品標準偏差・検査標準偏差比較処理手段との双方を備えていることを特徴とするものである。
【００４３】
この本発明の検査装置の判定処理精度判定方法、検査装置における判定処理精度判定装置は、検査装置が前述した画像検査装置である場合にも適用することができる。
【００４４】
すなわち、前記目的を達成するために本発明が提案する画像検査装置の判定処理精度判定方法は、検査対象物の画像を取り込む撮像手段によって取り込んだ画像信号から得た検査計量値を基に検査対象物の良否を判定する画像検査装置において、前記判定処理の精度を判定する方法であって、複数の良品について、当該画像検査装置を用い、前記撮像手段によって取り込んだ画像信号から得た複数の良品計量値が正規分布で表されると仮定して、良品平均値ＭＧと、良品標準偏差σＧとを求め、複数の検査対象物について、当該画像検査装置を用い、前記撮像手段によって取り込んだ画像信号から得た複数の検査計量値が正規分布で表されると仮定して、検査平均値ＭＳと、検査標準偏差σＳとを求め、前記良品平均値ＭＧを中心として予め定められている範囲に設定されている良品平均範囲と、前記検査平均値ＭＳとを比較する、または、前記良品標準偏差σＧを中心として予め定められている範囲に設定されている良品標準偏差範囲と、前記検査標準偏差σＳとを比較する、若しくは、前記良品平均値ＭＧを中心として予め定められている範囲に設定されている良品平均範囲と、前記検査平均値ＭＳとを比較すると共に前記良品標準偏差σＧを中心として予め定められている範囲に設定されている良品標準偏差範囲と、前記検査標準偏差σＳとを比較することを特徴とするものである。
【００４５】
そして、かかる方法を実行する本発明の画像検査装置における判定処理の精度を判定する判定処理精度判定装置は、検査対象物の画像を取り込む撮像手段によって取り込んだ画像信号から得た検査計量値を基に検査対象物の良否を判定する画像検査装置における前記判定処理の精度を判定するものであって、複数の良品について、当該画像検査装置を用い、前記撮像手段によって取り込んだ画像信号から得た複数の良品計量値が正規分布で表されると仮定して、良品平均値ＭＧと、良品標準偏差σＧとを演算する第二の良品平均値・標準偏差演算手段と、複数の検査対象物について、当該画像検査装置を用い、前記撮像手段によって取り込んだ画像信号から得た複数の検査計量値が正規分布で表されると仮定して、検査平均値ＭＳと、検査標準偏差σＳとを演算する第二の検査平均値・標準偏差演算手段と、前記良品平均値ＭＧを中心として予め定められている範囲に設定されている良品平均範囲と、前記検査平均値ＭＳとを比較する第二の良品平均値・検査平均値比較処理手段、または、前記良品標準偏差σＧを中心として予め定められている範囲に設定されている良品標準偏差範囲と、前記検査標準偏差σＳとを比較する第二の良品標準偏差・検査標準偏差比較処理手段、若しくは、前記良品平均値ＭＧを中心として予め定められている範囲に設定されている良品平均範囲と、前記検査平均値ＭＳとを比較する第二の良品平均値・検査平均値比較処理手段と、良品標準偏差σＧを中心として予め定められている範囲に設定されている良品標準偏差範囲と、前記検査標準偏差σＳとを比較する第二の良品標準偏差・検査標準偏差比較処理手段との双方、を備えていることを特徴とするものである。
【００４６】
かかる検査装置の判定処理精度判定方法と、検査装置における判定処理の精度を判定する判定処理精度判定装置、また、画像検査装置の判定処理精度判定方法と、画像検査装置における判定処理の精度を判定する判定処理精度判定装置とによれば、良品平均値ＭＧを中心として予め定められている範囲に設定されている良品平均範囲と、前記検査平均値ＭＳとを比較することにより、検査計量値のドリフトを把握することができる。また、良品標準偏差σＧを中心として予め定められている範囲に設定されている良品標準偏差範囲と、前記検査標準偏差σＳとを比較することにより、検査計量値のバラツキを把握することができる。
【００４７】
そして、これらの検査計量値のドリフトの把握、検査計量値のバラツキの把握から、検査を行っている過程でＣＣＤカメラのレンズの汚れなどの外乱によって生じた判定精度の変動を把握し、初期に設定された判定制度が維持されているかどうかを判定することができる。
【発明の効果】
【００４８】
本発明によれば、検査対象物について検査装置を用いて得た検査計量値を基に検査対象物の良否を判定する検査装置、例えば、検査対象物の画像を取り込む撮像手段によって取り込んだ画像信号から得た検査計量値を基に検査対象物の良否を判定する画像検査装置において、検査を行っている過程での外乱、例えば、ＣＣＤカメラのレンズの汚れなどの外乱によって生じた判定精度の変動を把握し、初期に設定された判定制度が維持されているかどうかを判定する、前記の良否判定処理の精度を判定する方法及び検査装置における判定処理精度判定装置を提供することができる。
【図面の簡単な説明】
【００４９】
【図１】複数の良品（スプーン１本）、複数の不良品（スプーン０本、２本）についての画像検査装置による計量値の分布を表す図。
【図２】曲線で表される良品の分布状態を直線での表示に変換する状態を説明する図。
【図３】画面に直線で表示されている分布状態を参考にして良品判定基準を設定する工程を説明する。
【図４】画面に直線で表示されている検査平均値の分布状態を参考にして平均値のバラツキを判定する工程を説明する図。
【図５】画像検査装置の撮像手段部分を説明する側面図。
【図６】良品の分布のみに基づいて良品判定基準設定を設定する方法を説明する図。
【図７】良品の分布のみに基づいて良品判定基準設定を設定する方法を更に詳しく説明する図。
【図８】本発明の装置構成を説明する装置構成概略図。
【発明を実施するための最良の形態】
【００５０】
以下、添付図面を参照して良品判定基準設定方法及び検査装置における良否判定基準設定装置、並びに、本発明の良否判定処理の精度を判定する方法及び検査装置における判定処理精度判定装置が、画像検査装置に適用される場合について説明する。
【００５１】
図５は、良否判定基準設定装置２、判定処理精度判定装置３が適用される画像検査装置１における撮像部の一例を説明するものである。
【００５２】
搬送コンベア１０１により検査対象物１００が搬送されていく際に、搬送コンベア１０１の上側に配備されているＣＣＤカメラ１０２により検査対象物１００の画像を取り込むようになっている。図５の例では、検査対象物１００を、直径３７０ｍｍの円筒状のミルク缶とし、このミルク缶の中に粉ミルクが充填され、この粉ミルクの上に置かれているスプーンの状態について画像検査装置で検査するようになっている。
【００５３】
図５中、符号１０３、１０４で示されているものは、それぞれ、ピンホールレンズ、近赤外線ＬＥＤである。リング型照明１０５及び、検査対象物１００の上端から３０ｍｍの高さに配置されている拡散板１０６によって検査対象物１００（直径３７０ｍｍの円筒状ミルク缶）の内部に照明光が均等にあたるようになっている。
【００５４】
図５図示の例では、粉ミルクの上に置かれているスプーンの状態として、スプーンの本数（正確な本数である１本が置かれているか、間違って１本も置かれていない＝０本、あるいは複数本が置かれていることなどがないか）を確認するため、近赤外光によるターゲットの二値化処理を画像検査装置で行って検査するよう、符号１０４で表されている近赤外ＬＥＤが使用されている。粉ミルクの上に置かれるスプーンの状態として、スプーンの色（青色、黄色など、ミルク缶の中に装填されている粉ミルクの種類に対応した色のスプーンが置かれているかどうか）を確認するならば、符号１０４で表されている部分に白色光を採用し、画像検査装置で色の三要素（輝度、色相、色彩）にベクトル分析する処理を行って検査することができる。
【００５５】
ＣＣＤカメラ１０２により取り込まれた検査対象物１００の画像は、図８図示のように画像検査装置１を介して、あるいは、直接、良品判定基準設定装置２や判定処理精度判定装置３に送られる。
【００５６】
画像検査装置１、良品判定基準設定装置２、判定処理精度判定装置３はいずれも、外部との情報交換・双方向通信を可能にするインターフェース部、キーボード及びポインティングデバイスなどからなる情報取得手段、ＣＲＴ画面などの画面への画像表示部、印刷部及び前記のインターフェース部などからなる情報出力手段、記憶部、演算処理部などを備え、以下に説明する各処理動作を当該コンピュータに実行させるコンピュータプログラムの指令及び、前記の形態のような情報取得手段で取得した指令、情報に従って以下に説明する各処理動作を行うパーソナルコンピュータ等のコンピュータによって構成することができる。
【００５７】
以下、検査対象物１００（直径３７０ｍｍの円筒状ミルク缶）の内部に装填された粉ミルクの上に置かれているスプーンの状態として、スプーンの本数（正確な本数である１本が置かれているか、間違って１本も置かれていない＝０本、あるいは複数本置かれていることなどがないか）を確認する処理動作における、良品判定基準設定装置２、本発明の判定処理精度判定装置３が実行する良品判定基準設定方法、本発明の判定処理精度判定方法を説明する。
【００５８】
良品判定基準設定方法においては、まず、検査対象物１００として複数の良品（例えば、検査対象物１００である円筒状ミルク缶の内部に装填された粉ミルクの上に置かれているスプーンの本数が正確な本数である１本）を用い、画像検査装置１のＣＣＤカメラ１０２によって取り込んだ画像信号から得た複数の良品計量値が正規分布で表されると仮定して、良品平均値ＭＧと、良品標準偏差σＧとを求める処理が行われる。
【００５９】
この処理は、良品判定基準設定装置２におけるコンピュータの処理動作部である良品平均値・標準偏差演算手段２１によって行われ、求められた良品平均値ＭＧと、良品標準偏差σＧ、良品分布は記憶部にデータとして保存される。
【００６０】
こうして得た良品の分布を、良品判定基準設定装置２の画像表示手段２４によって良品判定基準設定装置２のＣＲＴ画面２５あるいは、画像検査装置１の画像表示手段１１によって画像検査装置１のＣＲＴ画面１２へ画像表示すると、例えば、図１、図２に符号４０で表されている正規分布曲線になる。なおこの正規分布曲線は、画像表示手段２４、画像表示手段１１によって、良品平均値ＭＧから、良品標準偏差σＧの整数倍が加算あるいは減算される領域毎に色彩を異ならせて画像表示することができる。
【００６１】
次に、良品判定基準設定方法においては、検査対象物１００として複数の不良品（例えば、検査対象物１００である円筒状ミルク缶の内部に装填された粉ミルクの上に置かれているスプーンの本数が不正確な本数である０本（正規の本数−１）あるいは複数本、この例では２本（正規の本数＋１））を用い、画像検査装置１により、ＣＣＤカメラ１０２によって取り込んだ画像信号から得た複数の不良品計量値が正規分布で表されると仮定して、不良品平均値ＭＮＧと、不良品標準偏差σＮＧとを求める処理が行われる。
【００６２】
この処理は、良品判定基準設定装置２におけるコンピュータの処理動作部である不良品平均値・標準偏差演算手段２２によって行われ、求められた不良品平均値ＭＮＧと、不良品標準偏差σＮＧ、不良品分布は記憶部にデータとして保存される。
【００６３】
こうして得た不良品の分布を、良品判定基準設定装置２の画像表示手段２４によって良品判定基準設定装置２のＣＲＴ画面２５あるいは、画像検査装置１の画像表示手段１１によって画像検査装置１のＣＲＴ画面１２へ画像表示すると、例えば、図１に符号４１、４２で表されている正規分布曲線になる（符号４１で表されている正規分布曲線が粉ミルクの上に置かれているスプーンの本数が０本、符号４２で表されている正規分布曲線が粉ミルクの上に置かれているスプーンの本数が２本の場合である）。この正規分布曲線も、画像表示手段２４、画像表示手段１１によって、不良品平均値ＭＮＧから、不良品標準偏差σＮＧの整数倍が加算あるいは減算される領域毎に色彩を異ならせて画像表示することができる。
【００６４】
いずれもコンピュータの処理動作部である良品判定基準設定装置２の画像表示手段２４、画像検査装置１の画像表示手段１１は、前記のような正規分布曲線４０、４１、４２を、直線で表現する機能を有しており、例えば、図２図示の正規分布曲線４０を、図２に符号４３で表される直線に表示することができる。このように直線に表示する場合も、画像表示手段２４、画像表示手段１１によって、良品平均値ＭＧから、良品標準偏差σＧの整数倍が加算あるいは減算される領域毎、不良品平均値ＭＮＧから、不良品標準偏差σＮＧの整数倍が加算あるいは減算される領域毎に色彩を異ならせて画像表示することができる。
【００６５】
良品判定基準設定装置２は、コンピュータの処理動作部である分布状態画像表示手段２３を備えており、この分布状態画像表示手段２３によって、前記のように記憶部にデータ保存されている良品計量値の分布と、不良品計量値の分布とを同一の画面上に比較して表示することができる。
【００６６】
例えば、分布状態画像表示手段２３によって、図１図示のように、正規分布曲線の状態で前述した正規分布曲線４０、４１、４２によって、良品計量値の分布と、不良品計量値の分布とを同一の画面上に比較して表示する。あるいは、図３図示のように、直線の状態で、良品計量値の分布と、不良品計量値の分布とを同一の画面上に比較して表示する。
【００６７】
このようにして、良品判定基準設定方法における、良品計量値の分布と、不良品計量値の分布とを比較した良品判定基準を設定する工程が行われる。
【００６８】
例えば、図１図示のように、良品計量値の分布（正規分布曲線４０）において、不良品計量値の分布（正規分布曲線４１）の不良品平均値であるＭＮＧに６σＮＧを加算した位置を下限の良品判定基準、不良品計量値の分布（正規分布曲線４２）の不良品平均値であるＭＮＧから６σＮＧを減算した位置を上限の良品判定基準に設定することができる。
【００６９】
発明者等の実験によれば、良品計量値（図１の正規分布曲線４０）の分布において、不良品計量値の分布（図１の正規分布曲線４１）の不良品平均値であるＭＮＧ＋６σＮＧを下限の良品判定基準、不良品計量値の分布（図１の正規分布曲線４２）の不良品平均値であるＭＮＧ−６σＮＧを上限の良品判定基準に設定すれば、「不良品を良品であると判定してしまう」ことを撲滅すること、すなわち、「不良品の良品判定」を撲滅する（＝統計的にゼロにする）ことが可能であった。
【００７０】
以上に説明した方法によれば、図６、図７図示のような手法、すなわち、良品計量値（例えば、図１の正規分布曲線４０）の分布において、良品計量値の分布（図１の正規分布曲線４０）における良品平均値であるＭＧに対して良品標準偏差σＧの正数倍を加算あるいは減算することによって下限の良品判定基準（ＭＧ−σＧの正数倍）と、上限の良品判定基準（ＭＧ＋σＧの正数倍）とを設定する手法に比較すれば、良品であるにもかかわらず、「不良品である」と判定される検査対象物の数が多くなるが、「不良品を良品であると判定してしまう」ことを撲滅すること、すなわち、「不良品の良品判定」を撲滅する（＝統計的にゼロにする）ことが可能になる。
【００７１】
前記では、良品判定基準設定装置２におけるコンピュータの処理動作部である判定基準設定処理手段２７によって、良品計量値の分布（正規分布曲線４０）において、不良品計量値の分布（正規分布曲線４１）の不良品平均値であるＭＮＧ＋ｋσＮＧ（ｋは正数）を下限の良品判定基準、不良品計量値の分布（正規分布曲線４２）の不良品平均値であるＭＮＧ−ｋσＮＧ（ｋは正数）を上限の良品判定基準に設定する処理を行ったが、図１又は図２のように、良品判定基準設定装置２のＣＲＴ画面２５に画像表示された良品計量値の分布と不良品計量値の分布との比較表示に基づいて、良品判定基準設定装置２を操作している者が、画面上で、良品計量値の分布（正規分布曲線４０）から、不良品計量値の分布（正規分布曲線４１）の上限と、不良品計量値の分布（正規分布曲線４２）の下限に相当する位置をそれぞれ下限の良品判定基準、上限の良品判定基準に設定する処理を行うようにすることもできる。
【００７２】
前述したように、画像表示手段２４、画像表示手段１１によって、良品平均値ＭＧから、良品標準偏差σＧの整数倍が加算あるいは減算される領域毎、不良品平均値ＭＮＧから、不良品標準偏差σＮＧの整数倍が加算あるいは減算される領域毎に色彩を異ならせて画像表示することができるので、良品判定基準設定装置２を操作している者が、画面上で、下限の良品判定基準、上限の良品判定基準を容易に設定することができる。
【００７３】
図３は、良品（図１に符号４０で表されている正規分布曲線であって、粉ミルクの上に置かれているスプーンの本数が正規の１本の場合）の正規分布曲線４０を直線状に表した線分４３と、不良品（粉ミルクの上に置かれているスプーンの本数が正規の本数である１本−１＝０の場合）の正規分布曲線を直線状に表した線分４５と、不良品（粉ミルクの上に置かれているスプーンの本数が正規の本数である１本＋１＝２の場合）の正規分布曲線を直線状に表した線分４４が画面上に表されている状態を説明するものである。線分４３の下限と線分４５の上限とを良品判定基準設定装置２の処理動作部が比較して下限の良品判定基準を設定し、線分４３の上限と線分４４の下限とをコンピュータの処理動作部が比較して上限の良品判定基準を設定するようにすることもできるし、良品判定基準設定装置２を操作している者が、画面上で、下限の良品判定基準、上限の良品判定基準を設定することもできる。
【００７４】
なお、以上に説明した良品判定基準設定装置２に、更に、コンピュータの処理動作部からなる判定処理精度比較判定手段２６を配備しておき、当該判定処理精度比較判定手段２６によって、前記のように設定された下限の良品判定基準（不良品計量値の分布（正規分布曲線４１）の不良品平均値であるＭＮＧ＋ｋσＮＧ（ｋは正数））及び／又は上限の良品判定基準（不良品計量値の分布（正規分布曲線４２）の不良品平均値であるＭＮＧ−ｋσＮＧ（ｋは正数））を、新規に使用開始される画像検査装置に最初から設定されている良品判定基準（一般的には、良品平均値であるＭＧ±σＧの正数倍）と比較し、当該新規に使用開始される画像検査装置による良品判定の精度を確認する処理を行わせることもできる。
【００７５】
すなわち、新しい画像検査装置１を用いて実際に検査対象物１００の検査を開始する前に、当該新しい画像検査装置１に最初から設定されている良品判定基準がどの程度のものであるか、すなわち、当該新しい画像検査装置１による良品判定の精度を、良品判定基準設定装置２によって確認することができ、この工程を、前述した本発明による検査装置の良品判定基準設定方法、画像検査装置の良品判定基準設定方法に追加することができる。
【００７６】
以上、画像検査装置１における良品判定基準設定方法及び、画像検査装置１における良否判定基準設定装置２によれば、検査対象物１００の画像を取り込むＣＣＤカメラ１０２によって取り込んだ画像信号から得た検査計量値を基に検査対象物１００の良否を判定する画像検査装置１において、「不良品を良品であると判定してしまう」こと、すなわち、「不良品の良品判定」を撲滅する（＝統計的にゼロにする）という品質管理上の目的を達成可能にする良品判定基準（検査対象物１００が良品であるか不良品であるかを判定する良品判定基準）を設定することができる。
【００７７】
次に、本発明による画像検査装置１の判定処理精度判定方法及び、画像検査装置１における判定処理の精度を判定する判定処理精度判定装置３を説明する。
【００７８】
この判定処理精度判定方法、判定処理精度判定装置３は前述した画像検査装置１が、いったん設定された良品判定基準の精度を維持し続けているかどうか、検査を行っている過程で自己診断できるようにするものである。
【００７９】
例えば、検査を継続している過程で、ＣＣＤカメラ１０２の光源が経時劣化したことなどに起因する光量低下、レンズの汚れ、ＣＣＤカメラ１０２の取り付けのがた、検査対象物１００を搬送している搬送コンベア１０１のノッキングやガイドのズレ、各種装置を接続する通信ケーブルのノイズ、などによって判定精度に変動が生じると、これらの外乱に起因して画像検査装置１の判定精度に変動が生じることがあるが、画像検査装置１に初期設定されていた判定精度が維持されているか否かを、検査を行っている過程で自己診断できるようにするものである。
【００８０】
本発明の、画像検査装置１における判定処理精度判定方法においては、まず、検査対象物１００として複数の良品（例えば、検査対象物１００である円筒状ミルク缶の内部に装填された粉ミルクの上に置かれているスプーンの本数が正確な本数である１本）を用い、画像検査装置１のＣＣＤカメラ１０２によって取り込んだ画像信号から得た複数の良品計量値が正規分布で表されると仮定して、良品平均値ＭＧと、良品標準偏差σＧとを求める処理が行われる。
【００８１】
この処理は、判定処理精度判定装置３におけるコンピュータの処理動作部である良品平均値・標準偏差演算手段３１によって行われ、求められた良品平均値ＭＧと、良品標準偏差σＧ、良品分布はデータとして記憶部に保存される。
【００８２】
判定処理精度判定装置３には、コンピュータの処理動作部である良品平均範囲設定手段３２が更に備えられている。この良品平均範囲設定手段３２によって、判定処理精度判定装置３の記憶部に格納されているデータに基づいて、良品平均値・標準偏差演算手段３１によって求められた良品平均値ＭＧを中心として良品平均範囲が予め定められている範囲に設定される。こうして設定された良品平均範囲も判定処理精度判定装置３の記憶部に格納される。
【００８３】
また、判定処理精度判定装置３には、コンピュータの処理動作部である良品標準偏差範囲設定手段３３が更に備えられている。この良品標準偏差範囲設定手段３３によって、判定処理精度判定装置３の記憶部に格納されているデータに基づいて、良品平均値・標準偏差演算手段３１によって求められた良品標準偏差σＧを中心として良品標準偏差範囲が予め定められている範囲に設定される。こうして設定された良品標準偏差範囲も判定処理精度判定装置３の記憶部に格納される。
【００８４】
更に、判定処理精度判定装置３は、コンピュータの処理動作部である検査平均値・標準偏差演算手段３４を備えている。検査平均値・標準偏差演算手段３４は、画像検査装置１複数の検査対象物１００を検査している際に、ＣＣＤカメラ１０２によって取り込んだ画像信号から得た複数の検査計量値が正規分布で表されると仮定して、検査平均値ＭＳと、検査標準偏差σＳとを演算する処理を行う。
【００８５】
この判定処理精度判定装置３の演算処理によって求められた検査平均値ＭＳ、検査標準偏差σＳ、検査計量値分布は、それぞれ判定処理精度判定装置３の記憶部に格納される。
【００８６】
判定処理精度判定装置３は、画像表示手段３５を備えており、前記のように検査平均値ＭＳ、検査標準偏差σＳを求めた検査対象物の分布を、図２図示のような正規分布曲線や、これを直線状に表示した図２図示の線分４３のように、判定処理精度判定装置３のＣＲＴ画面３６に表示することができる。
【００８７】
判定処理精度判定装置３は、コンピュータの処理動作部である良品平均値・検査平均値比較処理手段３７を備えている。この良品平均値・検査平均値比較処理手段３７によって、前記のように良品平均範囲設定手段３２により設定されていた良品平均範囲と、検査平均値ＭＳとが比較される処理が行われる。
【００８８】
また、判定処理精度判定装置３は、コンピュータの処理動作部である良品標準偏差・検査標準偏差比較処理手段３８を備えている。この良品標準偏差・検査標準偏差比較処理手段３８によって、前記のように良品標準偏差範囲設定手段３３により設定されていた良品標準偏差範囲と、前記検査標準偏差σＳとが比較される処理が行われる。
【００８９】
図４は、検査平均値・標準偏差演算手段３４によって検査平均値ＭＳ、検査標準偏差σＳが求められた検査対象物の分布を、判定処理精度判定装置３のＣＲＴ画面３６に、画像表示手段３５により直線状の線分として表示したものであるが、この線分の下限値、上限値がそれぞれ良品平均範囲におさまっているかどうかによって、良品平均値・検査平均値比較処理手段３７により、検査平均値ＭＳと、検査平均値ＭＳとを比較する処理を行うことができる。
【００９０】
同様にして、良品標準偏差・検査標準偏差比較処理手段３８により、良品標準偏差範囲設定手段３３により設定されていた良品標準偏差範囲と、前記検査標準偏差σＳとを比較する処理を行うことができる。
【００９１】
良品平均値・検査平均値比較処理手段３７によって、良品平均範囲と、前記検査平均値ＭＳとを比較することにより、検査計量値のドリフトを把握することができる。また、良品標準偏差・検査標準偏差比較処理手段３８によって、良品標準偏差範囲と、前記検査標準偏差σＳとを比較することにより、検査計量値のバラツキを把握することができる。そこで、良品平均値・検査平均値比較処理手段３７と、良品標準偏差・検査標準偏差比較処理手段３８とのいずれか一方のみを備えている形態にすることもできるし、両方を備えている形態にすることもできる。
【００９２】
このような画像検査装置１における判定処理の精度を判定する判定処理精度判定装置３により前述した画像検査装置１の判定処理精度判定方法を実行することにより、検査計量値のドリフト、検査計量値のバラツキを把握し、検査を行っている過程でＣＣＤカメラのレンズの汚れなどの外乱によって生じた判定精度の変動を把握し、初期に設定された判定制度が維持されているかどうかを判定することができる。
【００９３】
前述した判定処理精度判定装置３において、更に、コンピュータの処理動作部からなる警告情報生成処理部３９をも備えている構成にし、前記の良品平均値・検査平均値比較処理手段３７、又は、良品標準偏差・検査標準偏差比較処理手段３８、或いはこれらの双方による判定処理の結果、検査平均値ＭＳが良品平均範囲を逸脱している、又は、検査標準偏差σＳが良品標準偏差範囲を逸脱している、あるいはこれらの双方である場合に、警告情報生成処理部３９の処理動作によって、判定処理精度判定装置３のＣＲＴ画面上に画像情報で警告を出力する、あるいは判定処理精度判定装置３の情報出力部から音声情報で警告情報を出力する構成にすることができる。
【００９４】
このようにして、画像検査装置１に対して初期に設定された判定精度が維持されていないようになったならば、直ちにそれを把握し、必要な対処をとれるようになる。
【００９５】
更に、前記の良品平均値・検査平均値比較処理手段３７、良品標準偏差・検査標準偏差比較処理手段３８は、所定の期間に所定の回数、例えば、一操業日あたりに一回、前記の比較判定処理を行うように動作させ、一方、判定処理精度判定装置３には、更に、コンピュータの処理動作部からなる判定情報記録部３０をも備えている構成にして、良品平均値・検査平均値比較処理手段３７、良品標準偏差・検査標準偏差比較処理手段３８で日々行われた比較判定処理の結果を記録（日報）として判定処理精度判定装置３の記憶部に登録させておくようにすることができる。
【００９６】
判定処理精度判定装置３の記憶部に記録されているこの記録（日報）は、必要に応じて、判定処理精度判定装置３の情報出力手段から印刷して取り出せるようにしておけば、画像検査装置１が初期に設定された判定精度の下で継続して検査を行っていたかどうかを後に確認することができる。
【００９７】
以上の説明では、画像検査装置１、良品判定基準設定装置２、判定処理精度判定装置３がそれぞれ別個独立のコンピュータから構成されている場合を説明したが、コンピュータからなる画像検査装置１が、前述した各処理動作を行う良品平均値・標準偏差演算手段２１、不良品平均値・標準偏差演算手段２２、分布状態画像表示手段２３、画像表示手段２４、判定処理精度比較判定手段２６、判定基準設定処理手段２７、判定情報記録部３０、良品平均値・標準偏差演算手段３１、良品平均範囲設定手段３２、良品標準偏差範囲設定手段３３、検査平均値・標準偏差演算手段３４、良品平均値・検査平均値比較処理手段３７、良品標準偏差・検査標準偏差比較処理手段３８、警告情報生成処理部３９を備えているようにし、前述した良品判定基準設定方法、判定処理精度判定方法をも実行する画像検査装置にすることもできる。
【００９８】
以上、添付図面を参照して本発明の好ましい実施例を説明したが、本発明はかかる実施例に限定されるものではない。例えば、検査対象物の重量を検査することによって「適正な重量範囲内にある検査対象品」（良品）と、「適正な重量範囲外にある検査対象品」（不良品）とを判定する検査装置、検査対象物のサイズを検査することによって「適正なサイズ内にある検査対象品」（良品）と、「適正なサイズ外にある検査対象品」（不良品）とを判定する検査装置など、種々の検査装置に本発明を適用することが可能である。
【符号の説明】
【００９９】
１    画像検査装置
１１  画像表示手段
１２  ＣＲＴ画面
２    良品判定基準設定装置
２１  良品平均値・標準偏差演算手段
２２  不良品平均値・標準偏差演算手段
２３  分布状態画像表示手段
２４  画像表示手段
２５  ＣＲＴ画面
２６  判定処理精度比較判定手段
２７  判定基準設定処理手段
３    判定処理精度判定装置
３１  良品平均値・標準偏差演算手段
３２  良品平均範囲設定手段
３３  良品標準偏差範囲設定手段
３４  検査平均値・標準偏差演算手段
３５  画像表示手段
３６  ＣＲＴ画面
３７  良品平均値・検査平均値比較処理手段
３８  良品標準偏差・検査標準偏差比較処理手段
３９  警告情報生成処理部
３０  判定情報記録部
４０  良品の正規分布曲線（スプーンの本数が１本）
４１  不良品の正規分布曲線（スプーンの本数が０本の場合）
４２  不良品の正規分布曲線（スプーンの本数が２本の場合）
４３  良品の正規分布曲線４０を直線で表示した線分
４４、４５  不良品の正規分布曲線を直線状に表した線分
１００  検査対象物
１０１  搬送コンベア
１０２  ＣＣＤカメラ
１０３  ピンホールレンズ
１０４  近赤外線ＬＥＤ
１０５  リング型照明
１０６  拡散板
【図１】
2010210635.tif 000003
【図２】
2010210635.tif 000004
【図３】
2010210635.tif 000005
【図４】
2010210635.tif 000006
【図５】
2010210635.tif 000007
【図６】
2010210635.tif 000008
【図７】
2010210635.tif 000009
【図８】
2010210635.tif 000010